(57)【要約】  移動通信システム１００は、グローバルＩＰ網を介して通信可能に接続された複数の中継サーバ１０１，１０２と、中継サーバ１０１と通信可能に接続された第１の移動通信端末１１０と、中継サーバ１０２と通信可能に接続された第２の移動通信端末１２０と、移動通信端末１１０，１２０間のメッセージの送受信を中継するメッセージ中継サーバ１０３と、を備える。第１の移動通信端末は中継サーバ１０１から取得したグローバルアドレス情報を含むメッセージを第２の移動通信端末へ送信する。第２の移動通信端末は受信したグローバルアドレス情報に基づいて、中継サーバ１０１，１０２を経由した移動通信端末１１０，１２０間の通信セッションの確立を中継サーバ１０２に要求する。
2011161862.tif 000002
【特許請求の範囲】
【請求項１】
グローバルＩＰアドレスを有する第１の中継サーバと、
グローバルＩＰアドレスを有し、且つ、前記第１の中継サーバとグローバルＩＰ網を介して通信可能に接続された第２の中継サーバと、
前記第１の中継サーバと通信可能に接続された第１の移動通信端末と、
前記第２の中継サーバと通信可能に接続された第２の移動通信端末と、
前記第１の移動通信端末と、前記第２の移動通信端末と、の間のメッセージの送受信を中継するメッセージ中継サーバと、
を備え、
前記第１の移動通信端末は、
前記第１の中継サーバから、グローバルＩＰアドレスを含む情報であり、且つ、当該第１の移動通信端末と対応付けられた情報であるグローバルアドレス情報を取得するグローバルアドレス情報取得手段と、
前記取得されたグローバルアドレス情報を含む前記メッセージを前記メッセージ中継サーバを介して前記第２の移動通信端末へ送信するメッセージ送信手段と、
を備え、
前記第２の移動通信端末は、
前記第１の移動通信端末により送信された前記メッセージを受信するメッセージ受信手段と、
前記受信されたメッセージに含まれる前記グローバルアドレス情報に基づいて、前記第１の中継サーバ及び前記第２の中継サーバを経由した、前記第１の移動通信端末と当該第２の移動通信端末との間の通信セッションの確立を当該第２の中継サーバに要求する通信確立要求手段と、
を備える移動通信システム。
【請求項２】
請求項１に記載の移動通信システムであって、
前記メッセージは、ショート・メッセージ、又は、電子メールとして送信されるメッセージである移動通信システム。
【請求項３】
請求項１又は請求項２に記載の移動通信システムであって、
前記メッセージ送信手段は、
前記第２の移動通信端末との間で、通話のための音声通信を行っている場合に、当該第２の移動通信端末へ、前記取得されたグローバルアドレス情報を含む前記メッセージを送信するように構成された移動通信システム。
【請求項４】
請求項３に記載の移動通信システムであって、
前記メッセージ送信手段は、
前記第２の移動通信端末との間で、通話のための音声通信を行っている場合に、当該第２の移動通信端末が有する電話番号を取得し、当該取得された電話番号を送信先とするショート・メッセージとして前記メッセージを送信するように構成された移動通信システム。
【請求項５】
請求項３に記載の移動通信システムであって、
前記メッセージ送信手段は、
前記第２の移動通信端末との間で、通話のための音声通信を行っている場合に、当該第２の移動通信端末が有する電話番号を取得し、当該取得された電話番号と対応付けて記憶している電子メールアドレスを取得し、当該取得された電子メールアドレスを送信先とする電子メールとして前記メッセージを送信するように構成された移動通信システム。
【請求項６】
グローバルＩＰアドレスを有する第１の中継サーバと、
グローバルＩＰアドレスを有し、且つ、前記第１の中継サーバとグローバルＩＰ網を介して通信可能に接続された第２の中継サーバと、
前記第１の中継サーバと通信可能に接続された第１の移動通信端末と、
前記第２の中継サーバと通信可能に接続された第２の移動通信端末と、
前記第１の移動通信端末と、前記第２の移動通信端末と、の間のメッセージの送受信を中継するメッセージ中継サーバと、
を備える移動通信システムに適用され、
前記第１の移動通信端末が、前記第１の中継サーバから、グローバルＩＰアドレスを含む情報であり、且つ、当該第１の移動通信端末と対応付けられた情報であるグローバルアドレス情報を取得し、
前記第１の移動通信端末が、前記取得されたグローバルアドレス情報を含む前記メッセージを前記メッセージ中継サーバを介して前記第２の移動通信端末へ送信し、
前記第２の移動通信端末が、前記第１の移動通信端末により送信された前記メッセージを受信し、
前記第２の移動通信端末が、前記受信されたメッセージに含まれる前記グローバルアドレス情報に基づいて、前記第１の中継サーバ及び前記第２の中継サーバを経由した、前記第１の移動通信端末と当該第２の移動通信端末との間の通信セッションの確立を当該第２の中継サーバに要求する、移動通信方法。
【請求項７】
グローバルＩＰアドレスを有する中継サーバと通信可能に接続された移動通信端末であって、
前記中継サーバから、グローバルＩＰアドレスを含む情報であり、且つ、当該移動通信端末と対応付けられた情報であるグローバルアドレス情報を取得するグローバルアドレス情報取得手段と、
前記取得されたグローバルアドレス情報を含むメッセージをメッセージ中継サーバを介して、他の移動通信端末へ送信するメッセージ送信手段と、
を備える移動通信端末。
【請求項８】
グローバルＩＰアドレスを有する中継サーバと通信可能に接続された移動通信端末に、
前記中継サーバから、グローバルＩＰアドレスを含む情報であり、且つ、当該移動通信端末と対応付けられた情報であるグローバルアドレス情報を取得するグローバルアドレス情報取得手段と、
前記取得されたグローバルアドレス情報を含むメッセージをメッセージ中継サーバを介して、他の移動通信端末へ送信するメッセージ送信手段と、
を実現させるための移動通信プログラム。
【請求項９】
グローバルＩＰアドレスを有する中継サーバと通信可能に接続された移動通信端末であって、
他の移動通信端末により送信され、且つ、グローバルＩＰアドレスを含む情報であるグローバルアドレス情報を含むメッセージを、メッセージ中継サーバを介して受信するメッセージ受信手段と、
前記受信されたメッセージに含まれる前記グローバルアドレス情報に基づいて、前記中継サーバを経由した、前記他の移動通信端末との間の通信セッションの確立を当該中継サーバに要求する通信確立要求手段と、
を備える移動通信端末。
【請求項１０】
グローバルＩＰアドレスを有する中継サーバと通信可能に接続された移動通信端末に、
他の移動通信端末により送信され、且つ、グローバルＩＰアドレスを含む情報であるグローバルアドレス情報を含むメッセージを、メッセージ中継サーバを介して受信するメッセージ受信手段と、
前記受信されたメッセージに含まれる前記グローバルアドレス情報に基づいて、前記中継サーバを経由した、前記移動通信端末と前記他の移動通信端末との間の通信セッションの確立を当該中継サーバに要求する通信確立要求手段と、
を実現させるための移動通信プログラム。
【発明の詳細な説明】
【技術分野】
【０００１】
本発明は、移動通信端末間でデータ通信を行う移動通信システムに関する。
【背景技術】
【０００２】
通話のための音声通信に加えて、ＩＰ（Ｉｎｔｅｒｎｅｔ  Ｐｒｏｔｏｃｏｌ）網を介したデータ通信を行う移動通信端末（例えば、携帯電話機）を含む移動通信システムが知られている。この種の移動通信システムの１つとして特許文献１に記載の移動通信システムは、第１の中継サーバ、第２の中継サーバ、及び、マッチングサーバを含む。【０００３】
第１の移動通信端末は、第１の中継サーバと通信可能に接続される。また、第２の移動通信端末は、第２の中継サーバと通信可能に接続される。第１の中継サーバ、第２の中継サーバ、及び、マッチングサーバは、グローバルＩＰ網を介して互いに通信可能に接続される。【０００４】
第１の中継サーバは、第１の移動通信端末へ、当該第１の移動通信端末と対応付けられたグローバルアドレス情報を送信する。グローバルアドレス情報は、グローバルＩＰアドレスと、ポート番号と、を含む。同様に、第２の中継サーバは、第２の移動通信端末へ、当該第２の移動通信端末と対応付けられたグローバルアドレス情報を送信する。【０００５】
第１の移動通信端末は、第１の中継サーバから受信したグローバルアドレス情報をマッチングサーバへ送信する。同様に、第２の移動通信端末は、第２の中継サーバから受信したグローバルアドレス情報をマッチングサーバへ送信する。【０００６】
その後、マッチングサーバは、第１の移動通信端末から受信したグローバルアドレス情報を第２の移動通信端末へ送信する。更に、マッチングサーバは、第２の移動通信端末から受信したグローバルアドレス情報を第１の移動通信端末へ送信する。【０００７】
これにより、第１の移動通信端末、及び、第２の移動通信端末は、マッチングサーバから受信したグローバルアドレス情報に基づいて、第１の中継サーバ及び第２の中継サーバを経由して、互いにデータ通信を行うことができる。この結果、各移動通信端末が直接にグローバルＩＰ網に接続されている場合と比較して、移動通信端末から外部へ情報が漏えいする可能性を低減することができる。
【先行技術文献】
【特許文献】
【０００８】
【特許文献１】特開２００９−２５３４４４号公報
【発明の概要】
【発明が解決しようとする課題】
【０００９】
ところで、上記移動通信システムにおいては、マッチングサーバをグローバルＩＰ網内に配置する必要がある。更に、マッチングサーバを運用するための手間がかかる。即ち、移動通信システムを構築及び運用するために要するコストが過大となるという問題があった。【００１０】
このため、本発明の目的は、上述した課題である「移動通信システムを構築及び運用するために要するコストが過大となること」を解決することが可能な移動通信システムを提供することにある。
【課題を解決するための手段】
【００１１】
かかる目的を達成するため本発明の一形態である移動通信システムは、
グローバルＩＰアドレスを有する第１の中継サーバと、
グローバルＩＰアドレスを有し、且つ、上記第１の中継サーバとグローバルＩＰ網を介して通信可能に接続された第２の中継サーバと、
上記第１の中継サーバと通信可能に接続された第１の移動通信端末と、
上記第２の中継サーバと通信可能に接続された第２の移動通信端末と、
上記第１の移動通信端末と、上記第２の移動通信端末と、の間のメッセージの送受信を中継するメッセージ中継サーバと、
を備え、
上記第１の移動通信端末は、
上記第１の中継サーバから、グローバルＩＰアドレスを含む情報であり、且つ、当該第１の移動通信端末と対応付けられた情報であるグローバルアドレス情報を取得するグローバルアドレス情報取得手段と、
上記取得されたグローバルアドレス情報を含む上記メッセージを上記メッセージ中継サーバを介して上記第２の移動通信端末へ送信するメッセージ送信手段と、
を備え、
上記第２の移動通信端末は、
上記第１の移動通信端末により送信された上記メッセージを受信するメッセージ受信手段と、
上記受信されたメッセージに含まれる上記グローバルアドレス情報に基づいて、上記第１の中継サーバ及び上記第２の中継サーバを経由した、上記第１の移動通信端末と当該第２の移動通信端末との間の通信セッションの確立を当該第２の中継サーバに要求する通信確立要求手段と、
を備える。【００１２】
また、本発明の他の形態である移動通信方法は、
グローバルＩＰアドレスを有する第１の中継サーバと、
グローバルＩＰアドレスを有し、且つ、上記第１の中継サーバとグローバルＩＰ網を介して通信可能に接続された第２の中継サーバと、
上記第１の中継サーバと通信可能に接続された第１の移動通信端末と、
上記第２の中継サーバと通信可能に接続された第２の移動通信端末と、
上記第１の移動通信端末と、上記第２の移動通信端末と、の間のメッセージの送受信を中継するメッセージ中継サーバと、
を備える移動通信システムに適用され、
上記第１の移動通信端末が、上記第１の中継サーバから、グローバルＩＰアドレスを含む情報であり、且つ、当該第１の移動通信端末と対応付けられた情報であるグローバルアドレス情報を取得し、
上記第１の移動通信端末が、上記取得されたグローバルアドレス情報を含む上記メッセージを上記メッセージ中継サーバを介して上記第２の移動通信端末へ送信し、
上記第２の移動通信端末が、上記第１の移動通信端末により送信された上記メッセージを受信し、
上記第２の移動通信端末が、上記受信されたメッセージに含まれる上記グローバルアドレス情報に基づいて、上記第１の中継サーバ及び上記第２の中継サーバを経由した、上記第１の移動通信端末と当該第２の移動通信端末との間の通信セッションの確立を当該第２の中継サーバに要求する方法である。【００１３】
また、本発明の他の形態である移動通信端末は、グローバルＩＰアドレスを有する中継サーバと通信可能に接続された移動通信端末である。【００１４】
更に、この移動通信端末は、
上記中継サーバから、グローバルＩＰアドレスを含む情報であり、且つ、当該移動通信端末と対応付けられた情報であるグローバルアドレス情報を取得するグローバルアドレス情報取得手段と、
上記取得されたグローバルアドレス情報を含むメッセージをメッセージ中継サーバを介して、他の移動通信端末へ送信するメッセージ送信手段と、
を備える。【００１５】
また、本発明の他の形態である移動通信プログラムは、
グローバルＩＰアドレスを有する中継サーバと通信可能に接続された移動通信端末に、
上記中継サーバから、グローバルＩＰアドレスを含む情報であり、且つ、当該移動通信端末と対応付けられた情報であるグローバルアドレス情報を取得するグローバルアドレス情報取得手段と、
上記取得されたグローバルアドレス情報を含むメッセージをメッセージ中継サーバを介して、他の移動通信端末へ送信するメッセージ送信手段と、
を実現させるためのプログラムである。【００１６】
また、本発明の他の形態である移動通信端末は、グローバルＩＰアドレスを有する中継サーバと通信可能に接続された移動通信端末である。【００１７】
更に、この移動通信端末は、
他の移動通信端末により送信され、且つ、グローバルＩＰアドレスを含む情報であるグローバルアドレス情報を含むメッセージを、メッセージ中継サーバを介して受信するメッセージ受信手段と、
上記受信されたメッセージに含まれる上記グローバルアドレス情報に基づいて、上記中継サーバを経由した、上記他の移動通信端末との間の通信セッションの確立を当該中継サーバに要求する通信確立要求手段と、
を備える。【００１８】
また、本発明の他の形態である移動通信プログラムは、
グローバルＩＰアドレスを有する中継サーバと通信可能に接続された移動通信端末に、
他の移動通信端末により送信され、且つ、グローバルＩＰアドレスを含む情報であるグローバルアドレス情報を含むメッセージを、メッセージ中継サーバを介して受信するメッセージ受信手段と、
上記受信されたメッセージに含まれる上記グローバルアドレス情報に基づいて、上記中継サーバを経由した、上記移動通信端末と上記他の移動通信端末との間の通信セッションの確立を当該中継サーバに要求する通信確立要求手段と、
を実現させるためのプログラムである。
【発明の効果】
【００１９】
本発明は、以上のように構成されることにより、構築及び運用するために要するコストを低減することができる。
【図面の簡単な説明】
【００２０】
【図１】本発明の第１実施形態に係る移動通信システムの概略構成を表す図である。
【図２】本発明の第１実施形態に係る移動通信端末の機能の概略を表すブロック図である。
【図３】本発明の第１実施形態に係る移動通信端末のＣＰＵが実行する通信処理プログラムを示したフローチャートである。
【図４】本発明の第１実施形態に係る移動通信端末のＣＰＵが実行するメッセージ受信処理プログラムを示したフローチャートである。
【図５】本発明の第２実施形態に係る移動通信端末の機能の概略を表すブロック図である。
【図６】本発明の第２実施形態に係る移動通信端末のＣＰＵが実行する通信処理プログラムを示したフローチャートである。
【図７】本発明の第２実施形態に係る移動通信端末のＣＰＵが実行するメッセージ受信処理プログラムを示したフローチャートである。
【図８】本発明の第３実施形態に係る移動通信システムの機能の概略を表すブロック図である。
【発明を実施するための形態】
【００２１】
以下、本発明に係る、移動通信システム、移動通信方法、移動通信端末、及び、移動通信プログラム、の各実施形態について図１〜図８を参照しながら説明する。
【００２２】
＜第１実施形態＞
（構成）
図１に示したように、第１実施形態に係る移動通信システム１は、第１の移動通信端末１０Ａと、第２の移動通信端末１０Ｂと、第１のゲートウェイサーバ（第１の中継サーバ）２０Ａと、第２のゲートウェイサーバ（第２の中継サーバ）２０Ｂと、メッセージ中継サーバ３０と、を備える。
【００２３】
第１のゲートウェイサーバ２０Ａ及び第２のゲートウェイサーバ２０Ｂ（ゲートウェイサーバ２０Ａ，２０Ｂ）のそれぞれは、図示しない中央処理装置（ＣＰＵ；Ｃｅｎｔｒａｌ  Ｐｒｏｃｅｓｓｉｎｇ  Ｕｎｉｔ）、及び、記憶装置（メモリ及びハードディスク駆動装置（ＨＤＤ；Ｈａｒｄ  Ｄｉｓｋ  Ｄｒｉｖｅ））を備える。各ゲートウェイサーバ２０Ａ，２０Ｂは、記憶装置に記憶されているプログラムをＣＰＵが実行することにより、後述する機能を実現するように構成されている。
【００２４】
第１のゲートウェイサーバ２０Ａと第２のゲートウェイサーバ２０Ｂとは、グローバルＩＰ（Ｉｎｔｅｒｎｅｔ  Ｐｒｏｔｏｃｏｌ）網を構成する通信回線ＮＷを介して通信可能に接続されている。各ゲートウェイサーバ２０Ａ，２０Ｂは、互いに異なるグローバルＩＰアドレスを有する。
【００２５】
第１のゲートウェイサーバ２０Ａは、第１の移動通信端末１０Ａからアドレス情報取得要求を受信した場合、グローバルアドレス情報を生成し、生成したグローバルアドレス情報を、第１の移動通信端末１０Ａと対応付けて記憶するとともに第１の移動通信端末１０Ａへ送信する。
【００２６】
アドレス情報取得要求は、グローバルアドレス情報を送信する旨を要求する情報である。グローバルアドレス情報は、グローバルＩＰアドレスと、ポート番号と、を含む情報である。第１のゲートウェイサーバ２０Ａは、第１の移動通信端末１０Ａと第２の移動通信端末１０Ｂとの間で送受信されるデータを中継する。
【００２７】
第２のゲートウェイサーバ２０Ｂは、第２の移動通信端末１０Ｂからアドレス情報取得要求を受信した場合、グローバルアドレス情報を生成し、生成したグローバルアドレス情報を、第２の移動通信端末１０Ｂと対応付けて記憶するとともに第２の移動通信端末１０Ｂへ送信する。第２のゲートウェイサーバ２０Ｂは、第１の移動通信端末１０Ａと第２の移動通信端末１０Ｂとの間で送受信されるデータを中継する。
【００２８】
第１の移動通信端末１０Ａは、他の移動通信端末（本例では、第２の移動通信端末１０Ｂ）との間で通話のための音声通信を行うように構成されている。これにより、第１の移動通信端末１０Ａを使用するユーザは、他の移動通信端末（本例では、第２の移動通信端末１０Ｂ）を使用するユーザとの間で、通話を行うことができる。
【００２９】
また、第１の移動通信端末１０Ａは、他の移動通信端末（本例では、第２の移動通信端末１０Ｂ）との間で、ＩＰ網を介したデータ通信を行うように構成されている。更に、第１の移動通信端末１０Ａは、他の移動通信端末（本例では、第２の移動通信端末１０Ｂ）との間で、メッセージ中継サーバ３０を介したメッセージの送受信（交換）を行うように構成されている。本例では、メッセージは、ショート・メッセージ・サービス（ＳＭＳ；Ｓｈｏｒｔ  Ｍｅｓｓａｇｅ  Ｓｅｒｖｉｃｅ）におけるショート・メッセージとして送信されるメッセージである。
【００３０】
具体的には、第１の移動通信端末１０Ａは、図示しないＣＰＵ、記憶装置（メモリ）、入力装置（本例では、複数のボタン（キー）、及び、マイクロフォン等）、及び、出力装置（本例では、ディスプレイ、及び、スピーカ等）を備える。第１の移動通信端末１０Ａは、記憶装置に記憶されているプログラムをＣＰＵが実行することにより、後述する機能を実現するように構成されている。なお、第２の移動通信端末１０Ｂも、第１の移動通信端末１０Ａと同様の構成を有する。
【００３１】
本例では、各移動通信端末１０Ａ，１０Ｂは、携帯電話機である。第１の移動通信端末１０Ａは、図示しない基地局、及び、プライベートＩＰ網を構成する通信回線を介して第１のゲートウェイサーバ２０Ａと通信可能に接続されている。第２の移動通信端末１０Ｂは、図示しない基地局、及び、プライベートＩＰ網を構成する通信回線を介して第２のゲートウェイサーバ２０Ｂと通信可能に接続されている。
【００３２】
メッセージ中継サーバ３０は、図示しないＣＰＵ、及び、記憶装置（メモリ及びＨＤＤ）を備える。メッセージ中継サーバ３０は、記憶装置に記憶されているプログラムをＣＰＵが実行することにより、後述する機能を実現するように構成されている。
【００３３】
メッセージ中継サーバ３０は、図示しない基地局を介して、第１の移動通信端末１０Ａ、及び、第２の移動通信端末１０Ｂのそれぞれと通信可能に接続されている。メッセージ中継サーバ３０は、第１の移動通信端末１０Ａと、第２の移動通信端末１０Ｂと、の間のメッセージの送受信を中継する。
【００３４】
具体的には、メッセージ中継サーバ３０は、メッセージと、当該メッセージの宛先としての電話番号と、を含む情報を受信し、当該受信された電話番号により特定される移動通信端末１０Ａ，１０Ｂへ、当該受信されたメッセージを送信（転送）する。
【００３５】
（機能）
図２は、上記のように構成された移動通信システム１の機能のうちの第１の移動通信端末１０Ａの機能を表すブロック図である。なお、第２の移動通信端末１０Ｂも、第１の移動通信端末１０Ａと同様の機能を有する。
【００３６】
第１の移動通信端末１０Ａの機能は、アプリケーションプログラム実行部１１と、データ通信処理部１２と、ゲートウェイ通信処理部（グローバルアドレス情報取得手段、通信確立要求手段）１３と、音声通信処理部１４と、通話情報取得部１５と、メッセージ通信処理部（メッセージ送信手段の一部、メッセージ受信手段）１６と、相手アドレス情報取得部１７と、アドレス情報送信部（メッセージ送信手段の一部）１８と、を含む。
【００３７】
アプリケーションプログラム実行部１１は、記憶装置に記憶されているアプリケーションプログラムを実行する。アプリケーションプログラム実行部１１は、ユーザにより入力装置を介して入力された入力情報を受け付ける。
【００３８】
更に、アプリケーションプログラム実行部１１は、他の移動通信端末（本例では、第２の移動通信端末１０Ｂ）との間でデータ通信を行う旨を表す指示をデータ通信処理部１２へ出力する。加えて、アプリケーションプログラム実行部１１は、出力情報を生成し、生成された出力情報を出力装置を介して出力する（例えば、画像をディスプレイに表示させる）。
【００３９】
データ通信処理部１２は、アプリケーションプログラム実行部１１からの指示に応じて、他の移動通信端末（本例では、第２の移動通信端末１０Ｂ）との間でデータ通信を行う。
【００４０】
ゲートウェイ通信処理部１３は、アドレス情報取得要求を第１のゲートウェイサーバ２０Ａへ送信する。ゲートウェイ通信処理部１３は、アドレス情報取得要求に応じて第１のゲートウェイサーバ２０Ａにより送信されたグローバルアドレス情報を受信（取得）する。
【００４１】
ゲートウェイ通信処理部１３は、後述するように、相手アドレス情報取得部１７により取得されたグローバルアドレス情報に基づいて、通信確立要求を第１のゲートウェイサーバ２０Ａへ送信する。
【００４２】
通信確立要求は、第１のゲートウェイサーバ２０Ａ及び第２のゲートウェイサーバ２０Ｂを経由した、第１の移動通信端末１０Ａと他の移動通信端末（本例では、第２の移動通信端末１０Ｂ）との間の通信セッションの確立（例えば、通信経路の設定等）を要求する旨を表す情報である。
【００４３】
音声通信処理部１４は、ユーザにより入力装置を介して入力された電話番号によって特定された移動通信端末との間で音声通信を行うための処理（音声通信処理）を実行する。音声通信処理部１４は、当該入力された電話番号を相手電話番号として記憶装置に記憶させる。音声通信処理部１４は、音声通信が終了した（音声通信処理の実行が完了した）場合、記憶装置に記憶されている相手電話番号を消去する。
【００４４】
通話情報取得部１５は、記憶装置に記憶されている、自端末（即ち、第１の移動通信端末１０Ａ）の電話番号と、現時点にて音声通信を行っている相手の端末の（端末が有する）電話番号（相手電話番号）と、を取得する。
【００４５】
メッセージ通信処理部１６は、メッセージ中継サーバ３０を介して、他の移動通信端末（本例では、第２の移動通信端末１０Ｂ）により送信されたショート・メッセージを受信する。メッセージ通信処理部１６は、受信されたショート・メッセージが、グローバルアドレス情報を含まない場合、ショート・メッセージを受信した旨を表す情報を出力装置を介して出力する。
【００４６】
また、メッセージ通信処理部１６は、ユーザにより入力装置を介してメッセージが入力された場合、入力されたメッセージをショート・メッセージとして、メッセージ中継サーバ３０を介して、他の移動通信端末（本例では、第２の移動通信端末１０Ｂ）へ送信する。
【００４７】
また、メッセージ通信処理部１６は、アドレス情報送信部１８からの指示に応じて、ショート・メッセージをメッセージ中継サーバ３０を介して、他の移動通信端末（本例では、第２の移動通信端末１０Ｂ）へ送信する。
【００４８】
相手アドレス情報取得部１７は、メッセージ通信処理部１６により受信されたショート・メッセージが、グローバルアドレス情報を含む場合、当該グローバルアドレス情報を相手グローバルアドレス情報として取得する。
【００４９】
アドレス情報送信部１８は、ゲートウェイ通信処理部１３によりグローバルアドレス情報が取得された場合、通話情報取得部１５により取得された相手電話番号を宛先（送信先）とするとともに、通話情報取得部１５により取得された自端末の電話番号を送信元とする、取得されたグローバルアドレス情報を含むメッセージをショート・メッセージとして送信する旨を表す指示をメッセージ通信処理部１６へ出力する。
【００５０】
（作動）
次に、上記のように構成された移動通信システム１の作動について、図３及び図４を参照しながら説明する。
先ず、第１の移動通信端末１０Ａのユーザは、入力装置を介して、通話先の電話番号と、通話の開始を要求する旨を表す情報と、を入力する。なお、第１の移動通信端末１０Ａは、電話番号と、名前と、を対応付けたアドレス帳を予め記憶し、ユーザにより選択された名前と対応付けられた電話番号を、通話先の電話番号として受け付けるように構成されていてもよい。
【００５１】
いま、ユーザが、第２の移動通信端末１０Ｂが有する電話番号を入力した場合を想定する。これにより、第１の移動通信端末１０Ａは、図３にフローチャートにより示した通信処理プログラムの実行を開始する。なお、第２の移動通信端末１０Ｂも、第１の移動通信端末１０Ａとの間の音声通信を開始した場合、第１の移動通信端末１０Ａと同様に、この通信処理プログラムの実行を開始する。
【００５２】
第１の移動通信端末１０Ａは、第２の移動通信端末１０Ｂとの間で音声通信を行うための処理（音声通信処理）を実行する（ステップＳ１０１）。
【００５３】
次いで、第１の移動通信端末１０Ａは、記憶装置に記憶されているアプリケーションプログラムを実行する（ステップＳ１０２）。本例では、第１の移動通信端末１０Ａは、アプリケーションプログラムの実行を開始する旨を指示する情報がユーザにより入力された場合に、アプリケーションプログラムを実行するように構成される。なお、第１の移動通信端末１０Ａは、音声通話処理の実行が開始された場合に、自動的にアプリケーションプログラムを実行するように構成されていてもよい。
【００５４】
そして、アプリケーションプログラムが、音声通信を行っている相手である移動通信端末（ここでは、第２の移動通信端末１０Ｂ）との間の通信処理を開始すると、第１の移動通信端末１０Ａは、音声通信を行っている相手である移動通信端末（ここでは、第２の移動通信端末１０Ｂ）との間で、データ通信を行うための通信セッションが既に確立されている（確立済みである）か否かを判定する（ステップＳ１０３）。
【００５５】
上記通信セッションが未だ確立されていない場合、第１の移動通信端末１０Ａは、「Ｎｏ」と判定してステップＳ１０４へ進む。そして、第１の移動通信端末１０Ａは、アドレス情報取得要求を第１のゲートウェイサーバ２０Ａへ送信する。これにより、第１の移動通信端末１０Ａは、第１のゲートウェイサーバ２０Ａからグローバルアドレス情報（自端末のグローバルアドレス情報）を受信（取得）する。
【００５６】
例えば、第１の移動通信端末１０Ａは、特許文献１の図１３に記載のステップＳ２１〜Ｓ２４の処理と同様の処理を実行することにより、グローバルアドレス情報を取得してもよい。この場合、ゲートウェイサーバ２０Ａ，２０Ｂは、特許文献１に記載されているプロキシ装置５と同様の機能を有することが好適である。
【００５７】
また、第１の移動通信端末１０Ａは、一般に、ＵＰｎＰ  ＮＡＴ  Ｔｒａｖｅｒｓａｌと呼ばれる技術を用いて、グローバルアドレス情報を取得してもよい。この場合、ゲートウェイサーバ２０Ａ，２０Ｂは、この機能を有し、且つ、一般にルータと呼ばれるデータ交換機であることが好適である。
【００５８】
次いで、第１の移動通信端末１０Ａは、自端末（第１の移動通信端末１０Ａ）の電話番号と、現時点にて音声通信を行っている相手の端末（相手端末、ここでは、第２の移動通信端末１０Ｂ）の電話番号（相手電話番号）と、を取得する（ステップＳ１０５）。
【００５９】
そして、第１の移動通信端末１０Ａは、取得された相手電話番号を宛先（送信先）とするとともに、取得された自端末の相手電話番号を送信元とし、取得されたグローバルアドレス情報を含むメッセージをショート・メッセージとして、メッセージ中継サーバ３０へ送信する（ステップＳ１０６）。メッセージ中継サーバ３０は、第１の移動通信端末１０Ａからショート・メッセージを受信し、受信したショート・メッセージを、送信先としての相手電話番号により特定される端末（ここでは、第２の移動通信端末１０Ｂ）へ送信（転送）する。
【００６０】
次いで、第１の移動通信端末１０Ａは、予め設定された待機時間だけ待機する。その後、第１の移動通信端末１０Ａは、ステップＳ１０３へ戻り、通信セッションが確立されていない場合には、ステップＳ１０３〜ステップＳ１０６の処理を繰り返し実行する。
【００６１】
一方、第２の移動通信端末１０Ｂは、図４にフローチャートにより示したメッセージ受信処理プログラムの実行を、第２の移動通信端末１０Ｂの起動時に開始する。なお、第１の移動通信端末１０Ａも、第２の移動通信端末１０Ｂと同様に、このメッセージ受信処理プログラムの実行を第１の移動通信端末１０Ａの起動時に開始する。
【００６２】
第２の移動通信端末１０Ｂは、ショート・メッセージを受信するまで待機する（ステップＳ２０１）。この時点では、第２の移動通信端末１０Ｂが第１の移動通信端末１０Ａから、アドレス通知メッセージとしてのショート・メッセージを受信する。アドレス通知メッセージは、図３のステップＳ１０６にて送信される、グローバルアドレス情報を含むメッセージである。
【００６３】
第２の移動通信端末１０Ｂは、ショート・メッセージを受信すると、ステップＳ２０１にて「Ｙｅｓ」と判定して、ステップＳ２０２へ進み、受信したショート・メッセージがアドレス通知メッセージであるか否かを判定する。
【００６４】
この時点では、第２の移動通信端末１０Ｂは、アドレス通知メッセージを受信しているので、「Ｙｅｓ」と判定してステップＳ２０４へ進む。そして、第２の移動通信端末１０Ｂは、自端末（第２の移動通信端末１０Ｂ）の電話番号と、現時点にて音声通信を行っている相手端末（ここでは、第１の移動通信端末１０Ａ）の電話番号（相手電話番号）と、を取得する。
【００６５】
次いで、第２の移動通信端末１０Ｂは、アドレス通知メッセージの送信元が、現時点にて音声通信を行っている相手端末（の電話番号）であるか否かを判定する（ステップＳ２０５）。上記仮定に従えば、アドレス通知メッセージの送信元は、現時点にて音声通信を行っている相手端末である。
【００６６】
従って、第２の移動通信端末１０Ｂは、「Ｙｅｓ」と判定してステップＳ２０６へ進み、アドレス通知メッセージに含まれるグローバルアドレス情報を取得する。次いで、第２の移動通信端末１０Ｂは、図３のステップＳ１０４にて取得された自端末のグローバルアドレス情報と、相手グローバルアドレス情報と、を含む通信確立要求を第２のゲートウェイサーバ２０Ｂへ送信する（ステップＳ２０７）。
【００６７】
通信確立要求は、第１のゲートウェイサーバ２０Ａ及び第２のゲートウェイサーバ２０Ｂを経由した、第１の移動通信端末１０Ａと第２の移動通信端末１０Ｂとの間の通信セッションの確立（例えば、通信経路の設定等）を要求する旨を表す情報である。
【００６８】
例えば、移動通信端末１０Ａ，１０Ｂが特許文献１に記載の方法を用いてグローバルアドレス情報を取得した場合、移動通信システム１は、特許文献１の図１３に記載のステップＳ３１〜ステップＳ３７と同様の処理を行うことにより、通信経路を設定する。また、移動通信端末１０Ａ，１０ＢがＵＰｎＰ  ＮＡＴ  Ｔｒａｖｅｒｓａｌと呼ばれる技術を用いて、グローバルアドレス情報を取得した場合、移動通信システム１は、ゲートウェイサーバ２０Ａ，２０Ｂに対する特別な処理を行わない。
【００６９】
なお、第２の移動通信端末１０Ｂは、自端末のグローバルアドレス情報を未だ取得していない場合、図３のステップＳ１０４と同様の処理を行うことにより、自端末のグローバルアドレス情報を第２のゲートウェイサーバ２０Ｂから取得した後、ステップＳ２０７の処理を実行する。
【００７０】
その後、第２の移動通信端末１０Ｂは、ステップＳ２０１へ戻り、ステップＳ２０１〜ステップＳ２０７の処理を繰り返し実行する。
【００７１】
なお、第２の移動通信端末１０Ｂは、アドレス通知メッセージの送信元が、現時点にて音声通信を行っている相手端末でない場合、ステップＳ２０５にて「Ｎｏ」と判定してステップＳ２０６及びステップＳ２０７の処理を実行することなく、ステップＳ２０１へ戻る。
【００７２】
また、第２の移動通信端末１０Ｂは、アドレス通知メッセージ以外のショート・メッセージを受信した場合、ステップＳ２０２にて「Ｎｏ」と判定してステップＳ２０３へ進む。そして、第２の移動通信端末１０Ｂは、ショート・メッセージを受信した旨を表す情報を出力装置を介して出力する（即ち、通知処理を実行する）。その後、第２の移動通信端末１０Ｂは、ステップＳ２０１へ戻る。
【００７３】
第１のゲートウェイサーバ２０Ａ及び第２のゲートウェイサーバ２０Ｂは、通信確立要求を受信すると、第１のゲートウェイサーバ２０Ａ及び第２のゲートウェイサーバ２０Ｂを経由した、第１の移動通信端末１０Ａと第２の移動通信端末１０Ｂとの間の通信セッションを確立する。
【００７４】
その結果、各移動通信端末１０Ａ，１０Ｂは、図３のステップＳ１０３にて「Ｙｅｓ」と判定してステップＳ１０７へ進み、相手端末との間でデータ通信を行うための処理（データ通信処理）を実行する。これにより、第１の移動通信端末１０Ａは、第２の移動通信端末１０Ｂとの間で、第１のゲートウェイサーバ２０Ａ及び第２のゲートウェイサーバ２０Ｂを経由したデータ通信を行う。
【００７５】
以上、説明したように、本発明の第１実施形態に係る移動通信システム１によれば、マッチングサーバを設ける場合と比較して、移動通信システムを構築及び運用するために要するコストを低減することができる。
【００７６】
更に、第１実施形態に係る移動通信システム１において、第１の移動通信端末１０Ａは、第２の移動通信端末１０Ｂとの間で、通話のための音声通信を行っている場合に、当該第２の移動通信端末１０Ｂへ、グローバルアドレス情報を含むメッセージを送信する。
これによれば、ＩＰ網を介した通信（データ通信）の相手となる移動通信端末を特定するための情報をユーザが入力する手間を省くことができる。更に、通話のための音声通信の相手である第２の移動通信端末１０Ｂと迅速にデータ通信を開始することができる。
【００７７】
＜第２実施形態＞
次に、本発明の第２実施形態に係る移動通信システムについて説明する。第２実施形態に係る移動通信システムは、上記第１実施形態に係る移動通信システムに対して、グローバルアドレス情報を含むメッセージとして、ショート・メッセージに代えて電子メールを用いる点において相違している。従って、以下、かかる相違点を中心として説明する。
【００７８】
第２実施形態に係るメッセージ中継サーバ３０は、第１の移動通信端末１０Ａと、第２の移動通信端末１０Ｂと、の間の、電子メールとしてのメッセージの送受信を中継する。
【００７９】
具体的には、メッセージ中継サーバ３０は、メッセージと、当該メッセージの宛先としての電子メールアドレスと、を含む情報を受信し、当該受信された電子メールアドレスにより特定される移動通信端末１０Ａ，１０Ｂへ、当該受信されたメッセージを送信（転送）する。即ち、本例では、メッセージは、電子メールとして送信されるメッセージである。
【００８０】
第２実施形態に係る第１の移動通信端末１０Ａの機能は、図５に示したように、第１実施形態に係る第１の移動通信端末１０Ａと同様の機能に加えて、アドレス帳管理部１９を含む。アドレス帳管理部１９は、電話番号と、電子メールアドレスと、名前と、を対応付けたアドレス帳を予め記憶する。
【００８１】
また、第２実施形態に係るメッセージ通信処理部１６は、メッセージ中継サーバ３０を介して、他の移動通信端末（本例では、第２の移動通信端末１０Ｂ）により送信された電子メールを受信する。メッセージ通信処理部１６は、受信された電子メールが、グローバルアドレス情報を含まない場合、電子メールを受信した旨を表す情報を出力装置を介して出力する。
【００８２】
また、メッセージ通信処理部１６は、ユーザにより入力装置を介してメッセージが入力された場合、入力されたメッセージを電子メールとして、メッセージ中継サーバ３０を介して、他の移動通信端末（本例では、第２の移動通信端末１０Ｂ）へ送信する。
【００８３】
また、メッセージ通信処理部１６は、アドレス情報送信部１８からの指示に応じて、電子メールをメッセージ中継サーバ３０を介して、他の移動通信端末（本例では、第２の移動通信端末１０Ｂ）へ送信する。
【００８４】
また、第２実施形態に係るアドレス情報送信部１８は、ゲートウェイ通信処理部１３によりグローバルアドレス情報が取得された場合、通話情報取得部１５により取得された相手電話番号と対応付けてアドレス帳管理部１９に記憶されている電子メールアドレスを取得する。
【００８５】
そして、アドレス情報送信部１８は、取得された電子メールアドレスを宛先（送信先）とするとともに、記憶装置に記憶されている自端末の電子メールアドレスを送信元とする、取得されたグローバルアドレス情報を含むメッセージを電子メールとして送信する旨を表す指示をメッセージ通信処理部１６へ出力する。
【００８６】
（作動）
次に、上記のように構成された移動通信システム１の作動について、図６及び図７を参照しながら説明する。
各移動通信端末１０Ａ，１０Ｂは、図３に示した通信処理プログラムに代えて、図６に示した通信処理プログラムを実行する。図６の通信処理プログラムは、図３の通信処理プログラムのステップＳ１０６の処理を、ステップＳ３０１及びステップＳ３０２の処理に置換したプログラムである。
【００８７】
第１の移動通信端末１０Ａは、図６のステップＳ１０５にて、自端末の電話番号と、相手端末の電話番号と、を取得した後、ステップＳ３０１へ進む。そして、第１の移動通信端末１０Ａは、取得された相手端末の電話番号と対応付けて記憶装置に記憶されている電子メールアドレス（相手アドレス）を取得する。
【００８８】
そして、第１の移動通信端末１０Ａは、電子メールアドレスを取得したか否かを判定する。電子メールアドレスが取得された場合、第１の移動通信端末１０Ａは、「Ｙｅｓ」と判定してステップＳ３０２へ進む。
【００８９】
次いで、第１の移動通信端末１０Ａは、取得された相手アドレスを送信先とし、且つ、自端末の電子メールアドレスを送信元とし、且つ、ステップＳ１０４にて取得されたグローバルアドレス情報、送信先の電話番号としての、取得された相手電話番号、及び、送信元の電話番号としての自端末の電話番号を含むメッセージを電子メール（アドレス通知メール）として送信する。その後、第１の移動通信端末１０Ａは、ステップＳ１０３へ戻る。
【００９０】
なお、ステップＳ３０１にて電子メールアドレスが取得されなかった場合、第１の移動通信端末１０Ａは、「Ｎｏ」と判定してステップＳ３０２の処理を実行することなくステップＳ１０３へ戻る。
【００９１】
一方、各移動通信端末１０Ａ，１０Ｂは、図４に示したメッセージ受信処理プログラムに代えて、図７に示したメッセージ受信処理プログラムを実行する。図７のメッセージ受信処理プログラムは、図４のメッセージ受信処理プログラムのステップＳ２０１の処理を、ステップＳ４０１の処理に置換し、且つ、図４のメッセージ受信処理プログラムのステップＳ２０２の処理を、ステップＳ４０２の処理に置換したプログラムである。
【００９２】
第２の移動通信端末１０Ｂは、電子メールを受信するまで待機する（ステップＳ４０１）。そして、第２の移動通信端末１０Ｂは、第１の移動通信端末１０Ａから、アドレス通知メールとしての電子メールを受信すると、ステップＳ４０１にて「Ｙｅｓ」と判定して、ステップＳ４０２へ進み、受信した電子メールがアドレス通知メールであるか否かを判定する。
【００９３】
この場合、第２の移動通信端末１０Ｂは、「Ｙｅｓ」と判定してステップＳ２０４へ進む。そして、第２の移動通信端末１０Ｂは、自端末（第２の移動通信端末１０Ｂ）の電話番号と、現時点にて音声通信を行っている相手端末（ここでは、第１の移動通信端末１０Ａ）の電話番号（相手電話番号）と、を取得する。
【００９４】
次いで、第２の移動通信端末１０Ｂは、アドレス通知メールに含まれる送信元の電話番号が、現時点にて音声通信を行っている相手端末（の電話番号）であるか否かを判定する（ステップＳ２０５）。その後、第２の移動通信端末１０Ｂは、第１実施形態と同様の処理を行う。
【００９５】
なお、第２の移動通信端末１０Ｂは、ステップＳ２０５にて、アドレス通知メールに含まれる送信元の電話番号が、現時点にて音声通信を行っている相手端末（の電話番号）であり、且つ、アドレス通知メールに含まれる送信元の電話番号と対応付けて記憶装置に記憶されている電子メールアドレスが、アドレス通知メールの送信元の電子メールアドレスである場合に、「Ｙｅｓ」と判定するように構成されていてもよい。
【００９６】
以上、説明したように、本発明の第２実施形態に係る移動通信システム１によれば、第１実施形態に係る移動通信システム１と同様の作用及び効果を奏することができる。
【００９７】
＜第３実施形態＞
次に、本発明の第３実施形態に係る移動通信システムについて図８を参照しながら説明する。
第３実施形態に係る移動通信システム１００は、
グローバルＩＰアドレスを有する第１の中継サーバ１０１と、
グローバルＩＰアドレスを有し、且つ、上記第１の中継サーバ１０１とグローバルＩＰ網を介して通信可能に接続された第２の中継サーバ１０２と、
上記第１の中継サーバ１０１と通信可能に接続された第１の移動通信端末１１０と、
上記第２の中継サーバ１０２と通信可能に接続された第２の移動通信端末１２０と、
上記第１の移動通信端末１１０と、上記第２の移動通信端末１２０と、の間のメッセージの送受信を中継するメッセージ中継サーバ１０３と、
を備える。
【００９８】
上記第１の移動通信端末１１０は、
上記第１の中継サーバ１０１から、グローバルＩＰアドレスを含む情報であり、且つ、当該第１の移動通信端末１１０と対応付けられた情報であるグローバルアドレス情報を取得するグローバルアドレス情報取得部（グローバルアドレス情報取得手段）１１１と、
上記取得されたグローバルアドレス情報を含む上記メッセージを上記メッセージ中継サーバ１０３を介して上記第２の移動通信端末１２０へ送信するメッセージ送信部（メッセージ送信手段）１１２と、
を備える。
【００９９】
加えて、上記第２の移動通信端末１２０は、
上記第１の移動通信端末１１０により送信された上記メッセージを受信するメッセージ受信部（メッセージ受信手段）１２１と、
上記受信されたメッセージに含まれる上記グローバルアドレス情報に基づいて、上記第１の中継サーバ１０１及び上記第２の中継サーバ１０２を経由した、上記第１の移動通信端末１１０と当該第２の移動通信端末１２０との間の通信セッションの確立を当該第２の中継サーバ１０２に要求する通信確立要求部（通信確立要求手段）１２２と、
を備える。
【０１００】
ところで、ショート・メッセージ又は電子メールの送受信を中継するメッセージ中継サーバは、移動通信システムに含まれていることが多い。従って、上記のように移動通信システム１００を構成することにより、マッチングサーバを設ける場合と比較して、移動通信システム１００を構築及び運用するために要するコストを低減することができる。
【０１０１】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１０２】
なお、上記各実施形態において移動通信システム１の各機能は、ＣＰＵがプログラム（ソフトウェア）を実行することにより実現されていたが、回路等のハードウェアにより実現されていてもよい。
【０１０３】
また、上記各実施形態においてプログラムは、記憶装置に記憶されていたが、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１０４】
また、上記実施形態の他の変形例として、上述した実施形態及び変形例の任意の組み合わせが採用されてもよい。
【０１０５】
＜付記＞
上記実施形態の一部又は全部は、以下の付記のように記載され得るが、以下には限られない。
【０１０６】
（付記１）
グローバルＩＰアドレスを有する第１の中継サーバと、
グローバルＩＰアドレスを有し、且つ、前記第１の中継サーバとグローバルＩＰ網を介して通信可能に接続された第２の中継サーバと、
前記第１の中継サーバと通信可能に接続された第１の移動通信端末と、
前記第２の中継サーバと通信可能に接続された第２の移動通信端末と、
前記第１の移動通信端末と、前記第２の移動通信端末と、の間のメッセージの送受信を中継するメッセージ中継サーバと、
を備え、
前記第１の移動通信端末は、
前記第１の中継サーバから、グローバルＩＰアドレスを含む情報であり、且つ、当該第１の移動通信端末と対応付けられた情報であるグローバルアドレス情報を取得するグローバルアドレス情報取得手段と、
前記取得されたグローバルアドレス情報を含む前記メッセージを前記メッセージ中継サーバを介して前記第２の移動通信端末へ送信するメッセージ送信手段と、
を備え、
前記第２の移動通信端末は、
前記第１の移動通信端末により送信された前記メッセージを受信するメッセージ受信手段と、
前記受信されたメッセージに含まれる前記グローバルアドレス情報に基づいて、前記第１の中継サーバ及び前記第２の中継サーバを経由した、前記第１の移動通信端末と当該第２の移動通信端末との間の通信セッションの確立を当該第２の中継サーバに要求する通信確立要求手段と、
を備える移動通信システム。
【０１０７】
ところで、ショート・メッセージ又は電子メールの送受信を中継するメッセージ中継サーバは、移動通信システムに含まれていることが多い。従って、上記のように移動通信システムを構成することにより、マッチングサーバを設ける場合と比較して、移動通信システムを構築及び運用するために要するコストを低減することができる。
【０１０８】
（付記２）
付記１に記載の移動通信システムであって、
前記メッセージは、ショート・メッセージ、又は、電子メールとして送信されるメッセージである移動通信システム。
【０１０９】
（付記３）
付記１又は付記２に記載の移動通信システムであって、
前記メッセージ送信手段は、
前記第２の移動通信端末との間で、通話のための音声通信を行っている場合に、当該第２の移動通信端末へ、前記取得されたグローバルアドレス情報を含む前記メッセージを送信するように構成された移動通信システム。
【０１１０】
これによれば、ＩＰ網を介した通信（データ通信）の相手となる移動通信端末を特定するための情報をユーザが入力する手間を省くことができる。更に、通話のための音声通信の相手である移動通信端末と迅速にデータ通信を開始することができる。
【０１１１】
（付記４）
付記３に記載の移動通信システムであって、
前記メッセージ送信手段は、
前記第２の移動通信端末との間で、通話のための音声通信を行っている場合に、当該第２の移動通信端末が有する電話番号を取得し、当該取得された電話番号を送信先とするショート・メッセージとして前記メッセージを送信するように構成された移動通信システム。
【０１１２】
（付記５）
付記３に記載の移動通信システムであって、
前記メッセージ送信手段は、
前記第２の移動通信端末との間で、通話のための音声通信を行っている場合に、当該第２の移動通信端末が有する電話番号を取得し、当該取得された電話番号と対応付けて記憶している電子メールアドレスを取得し、当該取得された電子メールアドレスを送信先とする電子メールとして前記メッセージを送信するように構成された移動通信システム。
【０１１３】
（付記６）
付記１乃至付記５のいずれか一項に記載の移動通信システムであって、
前記通信確立要求手段は、
前記第１の移動通信端末との間で、通話のための音声通信を行っている場合に、前記通信セッションの確立を前記第２の中継サーバに要求するように構成された移動通信システム。
【０１１４】
（付記７）
付記１乃至付記６のいずれか一項に記載の移動通信システムであって、
前記グローバルアドレス情報は、グローバルＩＰアドレスと、ポート番号と、を含む移動通信システム。
【０１１５】
（付記８）
グローバルＩＰアドレスを有する第１の中継サーバと、
グローバルＩＰアドレスを有し、且つ、前記第１の中継サーバとグローバルＩＰ網を介して通信可能に接続された第２の中継サーバと、
前記第１の中継サーバと通信可能に接続された第１の移動通信端末と、
前記第２の中継サーバと通信可能に接続された第２の移動通信端末と、
前記第１の移動通信端末と、前記第２の移動通信端末と、の間のメッセージの送受信を中継するメッセージ中継サーバと、
を備える移動通信システムに適用され、
前記第１の移動通信端末が、前記第１の中継サーバから、グローバルＩＰアドレスを含む情報であり、且つ、当該第１の移動通信端末と対応付けられた情報であるグローバルアドレス情報を取得し、
前記第１の移動通信端末が、前記取得されたグローバルアドレス情報を含む前記メッセージを前記メッセージ中継サーバを介して前記第２の移動通信端末へ送信し、
前記第２の移動通信端末が、前記第１の移動通信端末により送信された前記メッセージを受信し、
前記第２の移動通信端末が、前記受信されたメッセージに含まれる前記グローバルアドレス情報に基づいて、前記第１の中継サーバ及び前記第２の中継サーバを経由した、前記第１の移動通信端末と当該第２の移動通信端末との間の通信セッションの確立を当該第２の中継サーバに要求する、移動通信方法。
【０１１６】
（付記９）
付記８に記載の移動通信方法であって、
前記メッセージは、ショート・メッセージ、又は、電子メールとして送信されるメッセージである移動通信方法。
【０１１７】
（付記１０）
付記８又は付記９に記載の移動通信方法であって、
前記第１の移動通信端末が、前記第２の移動通信端末との間で、通話のための音声通信を行っている場合に、当該第２の移動通信端末へ、前記取得されたグローバルアドレス情報を含む前記メッセージを送信する、移動通信方法。
【０１１８】
（付記１１）
グローバルＩＰアドレスを有する中継サーバと通信可能に接続された移動通信端末であって、
前記中継サーバから、グローバルＩＰアドレスを含む情報であり、且つ、当該移動通信端末と対応付けられた情報であるグローバルアドレス情報を取得するグローバルアドレス情報取得手段と、
前記取得されたグローバルアドレス情報を含むメッセージをメッセージ中継サーバを介して、他の移動通信端末へ送信するメッセージ送信手段と、
を備える移動通信端末。
【０１１９】
（付記１２）
付記１１に記載の移動通信端末であって、
前記メッセージは、ショート・メッセージ、又は、電子メールとして送信されるメッセージである移動通信端末。
【０１２０】
（付記１３）
付記１１又は付記１２に記載の移動通信端末であって、
前記メッセージ送信手段は、
前記他の移動通信端末との間で、通話のための音声通信を行っている場合に、当該他の移動通信端末へ、前記取得されたグローバルアドレス情報を含む前記メッセージを送信するように構成された移動通信端末。
【０１２１】
（付記１４）
グローバルＩＰアドレスを有する中継サーバと通信可能に接続された移動通信端末に、
前記中継サーバから、グローバルＩＰアドレスを含む情報であり、且つ、当該移動通信端末と対応付けられた情報であるグローバルアドレス情報を取得するグローバルアドレス情報取得手段と、
前記取得されたグローバルアドレス情報を含むメッセージをメッセージ中継サーバを介して、他の移動通信端末へ送信するメッセージ送信手段と、
を実現させるための移動通信プログラム。
【０１２２】
（付記１５）
付記１４に記載の移動通信プログラムであって、
前記メッセージは、ショート・メッセージ、又は、電子メールとして送信されるメッセージである移動通信プログラム。
【０１２３】
（付記１６）
付記１４又は付記１５に記載の移動通信プログラムであって、
前記メッセージ送信手段は、
前記移動通信端末が前記他の移動通信端末との間で、通話のための音声通信を行っている場合に、当該他の移動通信端末へ、前記取得されたグローバルアドレス情報を含む前記メッセージを送信するように構成された移動通信プログラム。
【０１２４】
（付記１７）
グローバルＩＰアドレスを有する中継サーバと通信可能に接続された移動通信端末であって、
他の移動通信端末により送信され、且つ、グローバルＩＰアドレスを含む情報であるグローバルアドレス情報を含むメッセージを、メッセージ中継サーバを介して受信するメッセージ受信手段と、
前記受信されたメッセージに含まれる前記グローバルアドレス情報に基づいて、前記中継サーバを経由した、前記他の移動通信端末との間の通信セッションの確立を当該中継サーバに要求する通信確立要求手段と、
を備える移動通信端末。
【０１２５】
（付記１８）
付記１７に記載の移動通信端末であって、
前記メッセージは、ショート・メッセージ、又は、電子メールとして送信されるメッセージである移動通信端末。
【０１２６】
（付記１９）
グローバルＩＰアドレスを有する中継サーバと通信可能に接続された移動通信端末に、
他の移動通信端末により送信され、且つ、グローバルＩＰアドレスを含む情報であるグローバルアドレス情報を含むメッセージを、メッセージ中継サーバを介して受信するメッセージ受信手段と、
前記受信されたメッセージに含まれる前記グローバルアドレス情報に基づいて、前記中継サーバを経由した、前記移動通信端末と前記他の移動通信端末との間の通信セッションの確立を当該中継サーバに要求する通信確立要求手段と、
を実現させるための移動通信プログラム。
【０１２７】
（付記２０）
付記１９に記載の移動通信プログラムであって、
前記メッセージは、ショート・メッセージ、又は、電子メールとして送信されるメッセージである移動通信プログラム。
【０１２８】
なお、本発明は、日本国にて２０１０年６月２４日に出願された特願２０１０−１４３４５７の特許出願に基づく優先権主張の利益を享受するものであり、当該特許出願にて開示された内容のすべてが本明細書に含まれるものとする。
【産業上の利用可能性】
【０１２９】
本発明は、移動通信端末間でデータ通信を行う移動通信システム等に適用可能である。
【符号の説明】
【０１３０】
１      移動通信システム
１０Ａ  第１の移動通信端末
１０Ｂ  第２の移動通信端末
１１    アプリケーションプログラム実行部
１２    データ通信処理部
１３    ゲートウェイ通信処理部
１４    音声通信処理部
１５    通話情報取得部
１６    メッセージ通信処理部
１７    相手アドレス情報取得部
１８    アドレス情報送信部
１９    アドレス帳管理部
２０Ａ  第１のゲートウェイサーバ
２０Ｂ  第２のゲートウェイサーバ
３０    メッセージ中継サーバ
１００  移動通信システム
１０１  第１の中継サーバ
１０２  第２の中継サーバ
１０３  メッセージ中継サーバ
１１０  第１の移動通信端末
１１１  グローバルアドレス情報取得部
１１２  メッセージ送信部
１２０  第２の移動通信端末
１２１  メッセージ受信部
１２２  通信確立要求部
ＮＷ    通信回線
【図１】
2011161862.tif 000003
【図２】
2011161862.tif 000004
【図３】
2011161862.tif 000005
【図４】
2011161862.tif 000006
【図５】
2011161862.tif 000007
【図６】
2011161862.tif 000008
【図７】
2011161862.tif 000009
【図８】
2011161862.tif 000010
【手続補正書】
【提出日】平成24年11月15日(2012.11.15)
【手続補正１】
【補正対象書類名】特許請求の範囲
【補正対象項目名】全文
【補正方法】変更
【補正の内容】
【特許請求の範囲】
【請求項１】
グローバルＩＰアドレスを有する第１の中継サーバと、
グローバルＩＰアドレスを有し、且つ、前記第１の中継サーバとグローバルＩＰ網を介して通信可能に接続された第２の中継サーバと、
前記第１の中継サーバと通信可能に接続された第１の移動通信端末と、
前記第２の中継サーバと通信可能に接続された第２の移動通信端末と、
前記第１の移動通信端末と、前記第２の移動通信端末と、の間のメッセージの送受信を中継するメッセージ中継サーバと、
を備え、
前記第１の移動通信端末は、
前記第１の中継サーバから、グローバルＩＰアドレスを含む情報であり、且つ、当該第１の移動通信端末と対応付けられた情報であるグローバルアドレス情報を取得するグローバルアドレス情報取得手段と、
前記取得されたグローバルアドレス情報を含む前記メッセージを前記メッセージ中継サーバを介して前記第２の移動通信端末へ送信するメッセージ送信手段と、
を備え、
前記第２の移動通信端末は、
前記第１の移動通信端末により送信された前記メッセージを受信するメッセージ受信手段と、
前記受信されたメッセージに含まれる前記グローバルアドレス情報に基づいて、前記第１の中継サーバ及び前記第２の中継サーバを経由した、前記第１の移動通信端末と当該第２の移動通信端末との間の通信セッションの確立を当該第２の中継サーバに要求する通信確立要求手段と、
を備える移動通信システム。
【請求項２】
請求項１に記載の移動通信システムであって、
前記メッセージは、ショート・メッセージ、又は、電子メールとして送信されるメッセージである移動通信システム。
【請求項３】
請求項１又は請求項２に記載の移動通信システムであって、
前記メッセージ送信手段は、
前記第２の移動通信端末との間で、通話のための音声通信を行っている場合に、当該第２の移動通信端末へ、前記取得されたグローバルアドレス情報を含む前記メッセージを送信するように構成された移動通信システム。
【請求項４】
請求項３に記載の移動通信システムであって、
前記メッセージ送信手段は、
前記第２の移動通信端末との間で、通話のための音声通信を行っている場合に、当該第２の移動通信端末が有する電話番号を取得し、当該取得された電話番号を送信先とするショート・メッセージとして前記メッセージを送信するように構成された移動通信システム。
【請求項５】
請求項３に記載の移動通信システムであって、
前記メッセージ送信手段は、
前記第２の移動通信端末との間で、通話のための音声通信を行っている場合に、当該第２の移動通信端末が有する電話番号を取得し、当該取得された電話番号と対応付けて記憶している電子メールアドレスを取得し、当該取得された電子メールアドレスを送信先とする電子メールとして前記メッセージを送信するように構成された移動通信システム。
【請求項６】
グローバルＩＰアドレスを有する第１の中継サーバと、
グローバルＩＰアドレスを有し、且つ、前記第１の中継サーバとグローバルＩＰ網を介して通信可能に接続された第２の中継サーバと、
前記第１の中継サーバと通信可能に接続された第１の移動通信端末と、
前記第２の中継サーバと通信可能に接続された第２の移動通信端末と、
前記第１の移動通信端末と、前記第２の移動通信端末と、の間のメッセージの送受信を中継するメッセージ中継サーバと、
を備える移動通信システムに適用され、
前記第１の移動通信端末が、前記第１の中継サーバから、グローバルＩＰアドレスを含む情報であり、且つ、当該第１の移動通信端末と対応付けられた情報であるグローバルアドレス情報を取得し、
前記第１の移動通信端末が、前記取得されたグローバルアドレス情報を含む前記メッセージを前記メッセージ中継サーバを介して前記第２の移動通信端末へ送信し、
前記第２の移動通信端末が、前記第１の移動通信端末により送信された前記メッセージを受信し、
前記第２の移動通信端末が、前記受信されたメッセージに含まれる前記グローバルアドレス情報に基づいて、前記第１の中継サーバ及び前記第２の中継サーバを経由した、前記第１の移動通信端末と当該第２の移動通信端末との間の通信セッションの確立を当該第２の中継サーバに要求する、移動通信方法。
【請求項７】
グローバルＩＰアドレスを有する中継サーバと通信可能に接続された移動通信端末であって、
前記中継サーバから、グローバルＩＰアドレスを含む情報であり、且つ、当該移動通信端末と対応付けられた情報であるグローバルアドレス情報を取得するグローバルアドレス情報取得手段と、
前記取得されたグローバルアドレス情報を含むメッセージをメッセージ中継サーバを介して、他の移動通信端末へ送信するメッセージ送信手段と、
を備える移動通信端末。
【請求項８】
グローバルＩＰアドレスを有する中継サーバと通信可能に接続された移動通信端末に、
前記中継サーバから、グローバルＩＰアドレスを含む情報であり、且つ、当該移動通信端末と対応付けられた情報であるグローバルアドレス情報を取得するグローバルアドレス情報取得手段と、
前記取得されたグローバルアドレス情報を含むメッセージをメッセージ中継サーバを介して、他の移動通信端末へ送信するメッセージ送信手段と、
を実現させるための移動通信プログラム。
【請求項９】
グローバルＩＰアドレスを有する中継サーバと通信可能に接続された移動通信端末であって、
他の移動通信端末により送信され、且つ、グローバルＩＰアドレスを含む情報であるグローバルアドレス情報を含むメッセージを、メッセージ中継サーバを介して受信するメッセージ受信手段と、
前記受信されたメッセージに含まれる前記グローバルアドレス情報に基づいて、前記中継サーバを経由した、前記他の移動通信端末との間の通信セッションの確立を当該中継サーバに要求する通信確立要求手段と、
を備える移動通信端末。
【請求項１０】
グローバルＩＰアドレスを有する中継サーバと通信可能に接続された移動通信端末に、
他の移動通信端末により送信され、且つ、グローバルＩＰアドレスを含む情報であるグローバルアドレス情報を含むメッセージを、メッセージ中継サーバを介して受信するメッセージ受信手段と、
前記受信されたメッセージに含まれる前記グローバルアドレス情報に基づいて、前記中継サーバを経由した、前記移動通信端末と前記他の移動通信端末との間の通信セッションの確立を当該中継サーバに要求する通信確立要求手段と、
を実現させるための移動通信プログラム。
【請求項１１】
請求項１乃至５のいずれか一項に記載の移動通信システムであって、
前記通信確立要求手段は、
前記第１の移動通信端末との間で、通話のための音声通信を行っている場合に、前記通信セッションの確立を前記第２の中継サーバに要求するように構成された移動通信システム。
【請求項１２】
請求項１，２，３，４，５又は１１に記載の移動通信システムであって、
前記グローバルアドレス情報は、グローバルＩＰアドレスと、ポート番号と、を含む移動通信システム。
【請求項１３】
請求項６に記載の移動通信方法であって、
前記メッセージは、ショート・メッセージ、又は、電子メールとして送信されるメッセージである移動通信方法。
【請求項１４】
請求項６又は１３に記載の移動通信方法であって、
前記第１の移動通信端末が、前記第２の移動通信端末との間で、通話のための音声通信を行っている場合に、当該第２の移動通信端末へ、前記取得されたグローバルアドレス情報を含む前記メッセージを送信する、移動通信方法。
【請求項１５】
請求項７に記載の移動通信端末であって、
前記メッセージは、ショート・メッセージ、又は、電子メールとして送信されるメッセージである移動通信端末。
【請求項１６】
請求項７又は請求項１５に記載の移動通信端末であって、
前記メッセージ送信手段は、
前記他の移動通信端末との間で、通話のための音声通信を行っている場合に、当該他の移動通信端末へ、前記取得されたグローバルアドレス情報を含む前記メッセージを送信するように構成された移動通信端末。
【請求項１７】
請求項８に記載の移動通信プログラムであって、
前記メッセージは、ショート・メッセージ、又は、電子メールとして送信されるメッセージである移動通信プログラム。
【請求項１８】
請求項８又は請求項１７に記載の移動通信プログラムであって、
前記メッセージ送信手段は、
前記移動通信端末が前記他の移動通信端末との間で、通話のための音声通信を行っている場合に、当該他の移動通信端末へ、前記取得されたグローバルアドレス情報を含む前記メッセージを送信するように構成された移動通信プログラム。
【請求項１９】
請求項９に記載の移動通信端末であって、
前記メッセージは、ショート・メッセージ、又は、電子メールとして送信されるメッセージである移動通信端末。
【請求項２０】
請求項１０に記載の移動通信プログラムであって、
前記メッセージは、ショート・メッセージ、又は、電子メールとして送信されるメッセージである移動通信プログラム。
【国際調査報告】
2011161862.tif 000011
2011161862.tif 000012
2011161862.tif 000013
2011161862.tif 000014